(57)【要約】【課題】  蓄電装置の通電が遮断された後に再通電することを抑制する技術を提供する。【解決手段】  本明細書が開示する蓄電装置は、ケースと、ケースに収容された電極組立体と、ケースに設けられた電極端子と、ケースに固定されているとともに、電極組立体と電極端子との間の通電経路を遮断する電流遮断装置と、を備えている。電流遮断装置は、ケース内の圧力を受圧して変形する隔壁と、ケース内の圧力が上昇して隔壁が変形すると第１の導電部と第２の導電部とに分離されることで通電経路を遮断する導電部材とを備えている。隔壁の少なくとも一部が磁性体で形成されているか、又は、隔壁の少なくとも一部に磁性体が接合されている。電流遮断装置は、さらに、ケースに固定された磁石を備えている。磁石は、隔壁に対して、ケース内の圧力が上昇した際に隔壁が変形する側に配置されている。【選択図】図３
2014157792.tif 000002
【特許請求の範囲】
【請求項１】
ケースと、
前記ケースに収容された電極組立体と、
前記ケースに設けられた電極端子と、
前記ケースに固定されているとともに、前記電極組立体と前記電極端子との間の通電経路を遮断する電流遮断装置と、を備え、
前記電流遮断装置は、
前記ケース内の圧力を受圧して変形する隔壁と、
前記ケース内の圧力が上昇して前記隔壁が変形すると第１の導電部と第２の導電部とに分離されることで前記通電経路を遮断する導電部材と、を備え、
前記隔壁の少なくとも一部が磁性体で形成されているか、又は、前記隔壁の少なくとも一部に磁性体が接合されており、
前記電流遮断装置は、さらに、前記ケースに固定され、前記隔壁に対して、前記ケース内の圧力が上昇した際に前記隔壁が変形する側に配置された磁石を備える、
蓄電装置。
【請求項２】
前記磁石は、前記隔壁が変形する方向に前記隔壁を投影したときに、投影された前記隔壁と重なる位置に位置している請求項１に記載の蓄電装置。
【請求項３】
前記電流遮断装置は、前記ケースの壁の内面に固定されており、
前記磁石は、該ケースの壁と前記隔壁との間に位置している請求項1又は２に記載の蓄電装置。
【請求項４】
前記磁性体は、鉄である請求項１〜３のいずれか一項に記載の蓄電装置。
【請求項５】
前記蓄電装置は、二次電池である請求項１〜４のいずれか一項に記載の蓄電装置。
【発明の詳細な説明】
【技術分野】
【０００１】
本明細書に開示の技術は、蓄電装置に関する。
【背景技術】
【０００２】
蓄電装置には、安全性の向上の為に、電流遮断装置が搭載されることがある。特許文献１の蓄電装置は、正負の電極がカンに収容され密閉されている。蓄電装置に搭載された電流遮断装置は、カンの内圧が上昇すると、電極と外部負荷との間を流れる電流を遮断する。その電流遮断装置では、導電性を持つ電流遮断弁とブリッジとが接合され、電極と外部負荷との間の通電経路の一部を形成している。電流遮断弁の片側はカンの内部の圧力を受けている。ブリッジはその一端を電流遮断弁に固定されており、他端がカンに対して固定されている。カンの圧力が上昇すると電流遮断弁が変形する。これにより、電流遮断弁に固定されているブリッジが破断して通電経路が遮断される。
【先行技術文献】
【特許文献】
【０００３】
【特許文献１】特許第４４６４４８３号
【発明の概要】
【発明が解決しようとする課題】
【０００４】
しかしながら、蓄電装置では、電流遮断装置が作動して通電が遮断された後に外部から振動や衝撃等が加わることがある。特許文献１の蓄電装置では、振動や衝撃等が加わった場合に、電流遮断弁の変形が元に戻り、破断したブリッジが再接触する可能性がある。つまり、特許文献１の蓄電装置では、通電が遮断された後に振動や衝撃等が加わった場合に蓄電装置が再び通電する可能性がある。
【０００５】
本明細書は、上記課題を解決する技術を提供する。本明細書は、蓄電装置の通電が遮断された後に再通電することを抑制する技術を提供する。
【課題を解決するための手段】
【０００６】
本明細書が開示する蓄電装置は、ケースと、ケースに収容された電極組立体と、ケースに設けられた電極端子と、ケースに固定されているとともに、電極組立体と電極端子との間の通電経路を遮断する電流遮断装置と、を備えている。電流遮断装置は、ケース内の圧力を受圧して変形する隔壁と、ケース内の圧力が上昇して隔壁が変形すると第１の導電部と第２の導電部とに分離されることで通電経路を遮断する導電部材とを備えている。隔壁の少なくとも一部が磁性体で形成されているか、又は、隔壁の少なくとも一部に磁性体が接合されている。電流遮断装置は、さらに、ケースに固定された磁石を備えている。磁石は、隔壁に対して、ケース内の圧力が上昇した際に隔壁が変形する側に配置されている。
【０００７】
上記の蓄電装置では、ケース内の圧力が上昇して隔壁が変形すると、隔壁と磁石との間の距離が小さくなる。その結果、ケースに固定された磁石が隔壁を吸引する吸引力が強くなる。このため、変形した隔壁が元に戻ることが妨げられる。これにより、電流遮断装置によって蓄電装置の通電が遮断された後で、蓄電装置が再通電することを抑制することができる。なお、ケース内の圧力が低く、隔壁が変形する前の状態では、隔壁と磁石の距離が離れており、磁石が隔壁を吸引する吸引力は弱い。このため、ケース内の圧力が所定の圧力まで上昇する前に、磁石の吸引力によって隔壁が変形してしまうことはない。
【発明の効果】
【０００８】
本明細書が開示する蓄電装置によれば、電流遮断装置によって蓄電装置の通電が遮断された後で、再び通電することを抑制することができる。
【図面の簡単な説明】
【０００９】
【図１】第１実施例の蓄電装置２の全体の構成を示す断面図。
【図２】第１実施例の電流遮断装置４０（電流遮断圧力値未満）の部分拡大断面図。
【図３】第１実施例の電流遮断装置４０（電流遮断圧力値以上）の部分拡大断面図。
【図４】第２実施例の電流遮断装置１４０（電流遮断圧力値以上）の部分拡大断面図。
【図５】第３実施例の電流遮断装置２４０（電流遮断圧力値以上）の部分拡大断面図。
【図６】第４実施例の電流遮断装置３４０（電流遮断圧力値未満）の部分拡大断面図。
【図７】第４実施例の電流遮断装置３４０（電流遮断圧力値以上）の部分拡大断面図。
【図８】他の第１の形態の電流遮断装置２０２（電流遮断圧力値未満）の部分拡大断面図。
【図９】他の第１の形態の電流遮断装置２０２（電流遮断圧力値以上）の部分拡大断面図。
【図１０】他の第３の形態の電流遮断装置４０２（電流遮断圧力値未満）の部分拡大断面図。
【図１１】他の第３の形態の電流遮断装置４０２（電流遮断圧力値以上）の部分拡大断面図。
【発明を実施するための形態】
【００１０】
以下、本明細書で開示する実施例の技術的特徴の幾つかを記す。なお、以下に記す事項は、各々単独で技術的な有用性を有している。
【００１１】
（特徴１）  本明細書が開示する蓄電装置では、磁石は、隔壁が変形する方向に隔壁を投影したときに、投影された隔壁と重なる位置に位置していてもよい。
【００１２】
上記の蓄電装置では、磁石が隔壁を吸引する吸引力が効果的に発生する。これにより、隔壁の変形が元に戻ることを効果的に妨げることができる。
【００１３】
（特徴２）  本明細書が開示する蓄電装置では、電流遮断装置は、ケースの壁の内側に固定されており、磁石は、該ケースの壁と隔壁との間に位置していてもよい。
【００１４】
例えば磁石がケースの外側に配置されている場合には、磁石と隔壁との間にケースの壁が存在することにより、吸引力が低下することがある。上記の蓄電装置では、磁石はケースの壁と隔壁との間に配置されている。このため、磁石が隔壁を吸引する吸引力が効果的に発生する。これにより、隔壁の変形が元に戻ることを効果的に妨げることができる。
【００１５】
（特徴３）  本明細書が開示する蓄電装置では、磁性体は鉄である。
【００１６】
上記の蓄電装置では、鉄と磁石との間に磁力を発生させることができる。これにより、隔壁の変形が元に戻ることを妨げることができる。
【実施例１】
【００１７】
第１実施例の蓄電装置２は、例えばニッケル水素電池やリチウムイオン電池等の二次電池である。蓄電装置２は、ハイブリッド自動車や電気自動車等の車両に搭載されて、モータに電力を供給する。また、蓄電装置２は、モータが回生発電した電力によって充電される。
【００１８】
図１に示すように、蓄電装置２は、ケース４と、ケース４に収容された電極組立体６と、ケース４に設けられた電極端子としての正極端子１２ａ、及び負極端子１２ｂと、ケース４内に設けられた電流遮断装置４０を備えている。
【００１９】
ケース４は、金属製で略直方体である。ケース４の上側の壁４ａの、図１右側の端には正極端子１２ａが、図１左側の端には負極端子１２ｂが設けられている。正極端子１２ａ、負極端子１２ｂは、それぞれ正極、負極とケース４内で電気的に接続されている（後に詳しく説明する）。正極端子１２ａ、負極端子１２ｂは、電極組立体６との間で電気を授受する。正極端子１２ａ、及び負極端子１２ｂには、蓄電装置２の充・放電を行うための配線部材（図示しない）が接続される。
【００２０】
図１に示すように、正極端子１２ａは、金属製のボルト２４ａ、内側ナット２６ａ、外側ナット２８ａを備えている。ボルト２４ａと内側ナット２６ａは、シール座金３２ａを介してケース４に取付けられている。ボルト２４ａ及び内側ナット２６ａと、ケース４との間は絶縁性を有するスリーブ３０ａによって絶縁されている。外側ナット２８ａは、配線部材との結線に用いられる。
【００２１】
負極端子１２ｂは、金属製のボルト２４ｂ、内側ナット２６ｂ、外側ナット２８ｂを備えている。ボルト２４ｂと内側ナット２６ｂは、シール座金３２ｂを介してケース４に取付けられている。ボルト２４ｂ及び内側ナット２６ｂと、ケース４との間は絶縁性を有するスリーブ３０ｂによって絶縁されている。外側ナット２８ｂは、配線部材との結線に用いられる。
【００２２】
電極組立体６は、正極と、負極と、正極と負極の間に介在しているセパレータを備えている（図示しない）。正極と負極は、それぞれ金属箔と、金属箔上に形成されている活物質層を有する（図示しない）。正極又は負極の金属箔からは、正極タブ５５ａ、負極タブ５５ｂが伸びている。
【００２３】
電極組立体６は、液状の電解液に浸漬されている。電解液は、溶媒中に、リチウム塩を含む支持塩を含有している。溶媒としては、例えばＦＥＣ（フルオロエチレンカーボネート）が使用できる。支持塩としては、例えば、ＬｉＰＦ６（六フッ化リン酸リチウム）が使用できる。電解質には、芳香族系のモノマー添加剤が含まれている。電極組立体６に過電圧が加わると、電解質に含まれるモノマー添加剤が重合し、水素ガスが発生する。これによって、ケース４の内部空間４１の圧力を上昇させる。
【００２４】
図１に示すように、正極タブ５５ａ、第１リード１０ａ、正極端子１２ａ、が順に接続されることで、正極と正極端子１２ａとを接続する通電経路が形成されている。第１リード１０ａの上面とケース４の上側の壁４ａの内面との間には絶縁シート３４ａが配置されている。負極タブ５５ｂ、第２リード１０ｂ、電流遮断装置４０、導電部材１４、負極端子１２ｂ、の順に接続されることで、負極と負極端子１２ｂとを接続する通電経路が形成されている。ケース４内の圧力が上昇した場合には、電流遮断装置４０は、この通電経路を遮断する。
【００２５】
電流遮断装置４０は、ケース４の上側の壁４ａの内面に固定されている。第２リード１０ｂの上面及び電流遮断装置４０の上端部と、ケース４の上側の壁４ａの内面との間には、絶縁シート３４ｂが配置されている。電流遮断装置４０は、感圧式の電流遮断装置である。電流遮断装置４０は、ケース４内の圧力が電流遮断圧力値未満の場合は、負極と負極端子１２ｂとの間の通電経路を電流が流れる状態とする。また、電流遮断装置４０は、ケース４内の圧力が電流遮断圧力値以上の場合は、負極と負極端子１２ｂとの間の通電経路を遮断し、電流が流れない状態とする。
【００２６】
以下に、電流遮断装置４０について詳しく説明する。電流遮断装置４０は、図２の状態（ケース４内の圧力が電流遮断圧力値未満の状態）から、図３の状態（ケース４内の圧力が電流遮断圧力値以上の状態）に変化することで、負極と負極端子１２ｂとの間の通電経路を遮断する。
【００２７】
電流遮断装置４０は、図２に示すように、隔壁３８を有している。隔壁３８は、図２の上方向から見て円形の薄板により形成されている。隔壁３８は、いわゆるダイアフラムである。隔壁３８は、導電性を有し、かつ、磁性体である材料によって形成されている。隔壁３８を形成する材料としては、例えば鉄が使用できる。
【００２８】
隔壁３８は、下側の面にケース４内の内部空間４１の圧力を受けており、上側の面にはケース４内の内部空間４１とは隔離された空間である空間４２の圧力を受けている。隔壁３８は、隔壁３８の外周部に位置する外周縁部７２と、外周縁部７２の内側に位置する隔壁変位部７３とを有する。隔壁変位部７３については、後に詳しく説明する。隔壁３８は、ケース４内の圧力が電流遮断圧力値未満の状態では、図２に示すように下側に膨出している。隔壁３８の外周縁部７２は、第２リード１０ｂと、絶縁性を有する支持部材３６とで挟持されている。
【００２９】
第２リード１０ｂは開口部１１を有する。開口部１１は隔壁３８の外周縁部７２を挟持している部分の内側の部分に位置している。隔壁３８は、その中央部に中央平坦部７６を有している。隔壁３８の外周縁部７２の上面と第２リード１０ｂの下面とは接触しており、両者は電気的に接続されている。
【００３０】
隔壁３８の下側（ケース４内の圧力を受圧する側）では、導電部材１４が支持部材３６に支持されている。隔壁３８の外周縁部７２と導電部材１４との間は、絶縁性を有する支持部材３６によって絶縁されている。隔壁３８の中央平坦部７６の下面と、導電部材１４の上面とは固定され、電気的に接続されている。隔壁３８の中央平坦部７６と導電部材１４は、溶接部７８において溶接されている。支持部材３６には通気孔３７が設けられている。通気孔３７は、支持部材３６の内側の空間（詳細には、隔壁３８の下側の空間）と電極組立体６が収容されている空間とを連通している。なお、以下の説明では、支持部材３６の内側の空間（隔壁３８の下側の空間）を単にケース４内の内部空間４１と呼ぶことがある。
【００３１】
導電部材１４の下側の面には、脆弱部２０が形成されている。脆弱部２０は、図２上から見たとき円弧状である。脆弱部２０は、図２上から見たとき溶接部７８を取り囲むように形成されている。脆弱部２０は、断面が三角形の溝であり刻印により形成されている。導電部材１４は、脆弱部２０の内側に位置する移動側導電部１７と、脆弱部２０の外側に位置する固定側導電部１６とを有している。移動側導電部１７と固定側導電部１６とは隣接している。
【００３２】
第２リード１０ｂ、隔壁３８、導電部材１４が順に電気的に接続されることで、負極と負極端子１２ｂとの間の通電経路に電流が流れる状態となる。
【００３３】
電流遮断装置４０は、磁石８０を備えている。磁石８０としては、例えばフェライト磁石を使用することができる。磁石８０は、図２、図３に示すように、ケース４の上側の壁４ａの内側に固定されている。磁石８０は、ケース４の上側の壁４ａと上述の絶縁シート３４ｂとの間に挟まれた状態となっている。磁石８０は、隔壁３８から見て図２上方に配置されている。図２の上方から見た時、磁石８０は、磁石８０の中心と隔壁３８の中心とが一致する位置に配置されている。換言すると、磁石８０は、隔壁３８を上向きに投影したときに隔壁３８と磁石８０とが重なる位置に配置されている。
【００３４】
図３に示すように、ケース４内の圧力が電流遮断圧力値以上となると、導電部材１４は脆弱部２０の部分で破断する。その結果、隔壁変位部７３と移動側導電部１７とが一体となって上側に移動する。隔壁変位部７３が上側に移動することにより、隔壁３８は変形する。隔壁３８は、上述した下側に膨出した状態（図２）から、上側に膨出した状態（図３）へと変化する。導電部材１４が破断することにより、負極と負極端子１２ｂとの間の通電経路に電流が流れない状態となる。
【００３５】
なお、導電部材１４が電流遮断圧力値で破断するように、隔壁３８の受圧面積と導電部材１４の破断強度とが設計されている。
【００３６】
本実施例の蓄電装置２では、上述のように、ケース４内の圧力が電流遮断圧力値以上となると、隔壁変位部７３が上側に移動する。このため、隔壁３８と磁石８０との距離が短くなる。（詳しくは、隔壁３８の隔壁変位部７３と磁石８０との距離が短くなる。）その結果、隔壁３８と磁石８０との間に作用する磁力が大きくなる。すなわち、磁石８０が隔壁３８を吸引する吸引力が強くなる。このため、隔壁３８の変形後に、隔壁３８の隔壁変位部７３が再び下側に移動することが妨げられる。すなわち、変形した隔壁３８が元に戻ることが妨げられる。これにより、電流遮断装置４０によって蓄電装置２の通電が遮断された後で、蓄電装置２が再通電することを抑制することができる。なお、ケース４内の圧力が低く、隔壁３８が変形する前の状態では、隔壁３８と磁石８０の距離が離れており、磁石８０が隔壁３８を吸引する吸引力は弱い。このため、ケース４内の圧力が所定の圧力まで上昇する前に、磁石８０の吸引力によって隔壁３８が変形してしまうことはない。
【００３７】
また、本実施例の蓄電装置２では、磁石８０は、隔壁３８を投影したときに隔壁３８と重なる位置に配置されている。このため、磁石８０と隔壁３８との間に効果的に磁力が作用する。これにより、隔壁３８の変形が元に戻ることを効果的に抑制することができる。
【００３８】
本実施例の蓄電装置２では、電流遮断装置４０はケースの壁４ａの内側に固定されている。また、磁石８０は、ケースの壁４ａと隔壁３８との間に配置されている。例えば、磁石８０がケース４の外側に配置されている場合には、磁石８０と隔壁３８との間にケースの壁４ａが位置し、磁石８０と隔壁３８の間に作用する磁力が弱くなる。これに対して、本実施例の蓄電装置２では、磁石８０がケースの壁４ａと隔壁３８との間に配置されている。これにより、磁石８０と隔壁３８との間に効果的に磁力を作用させることができ、隔壁３８の変形が元に戻ることを効果的に妨げることができる。
【００３９】
本実施例の蓄電装置２では、隔壁３８は、磁性体である鉄によって形成されている。このため、本実施例の蓄電装置２では、磁性体である鉄と磁石８０との間に効果的に磁力を発生させることができる。これにより、隔壁３８の変形が元に戻ることを効果的に妨げることができる。
【００４０】
本実施例の蓄電装置２では、上述のように、ケース４内の圧力が電流遮断圧力値以上となると隔壁変位部７３が上側に移動する。このとき、隔壁３８に弾性力が生じることがある。弾性力は、隔壁変位部７３を下側に移動させる向き（すなわち、隔壁変位部７３の上側への移動を妨げる向き）に作用する。弾性力の大きさは、隔壁変位部７３が上側に移動する量が大きいほど大きくなる。これに対して、磁石８０と隔壁３８との間に作用する磁力は、弾性力と逆の向き（隔壁変位部７３を上側に移動させる向き）に作用する。磁力の大きさは、隔壁変位部７３が上側に移動する量が大きい程大きくなる。これにより、弾性力と磁力をバランスさせることができ、隔壁３８の変形が元に戻ることを効果的に抑制することがきる。
【００４１】
本実施例の隔壁３８を形成している材料（具体的には、例えば鉄）は、磁性体であるとともに導電体である。このため、隔壁３８は、磁力を発生させることができるとともに、隔壁３８が負極端子１２ｂと電極組立体６との間の通電経路の一部を構成することができる。
【００４２】
なお、磁石８０の磁束密度、形状、大きさ、磁石と隔壁との距離等は、予め設計される。例えば、磁石８０の磁束密度は、隔壁３８が上側に膨出した状態のときに磁石８０が隔壁３８を吸引する吸引力が、隔壁３８に作用する重力よりも大きくなるように設計してもよい。あるいは、磁石８０の磁束密度は、隔壁３８が上側に膨出した状態のときに磁石８０が隔壁３８を吸引する吸引力が、隔壁３８に作用する重力と、隔壁３８の変形が元に戻る方向に生じる隔壁３８の弾性力とを足した大きさよりも大きくなるように設計してもよい。
【００４３】
上述のように、実施例１では、電流遮断装置４０がケース４に固定されていた。電流遮断装置４０をケース４に固定する際には、他の部材を介して電流遮断装置４０を間接的にケース４に固定してもよい。また、実施例１では、磁石８０がケース４に固定されていた。磁石８０をケース４に固定する際には、他の部材を介して磁石８０を間接的にケース４に固定してもよい。
【実施例２】
【００４４】
実施例２の蓄電装置２は、実施例１に対して磁石８０が配置される位置が異なる（図４）。実施例２では、磁石８０はケース４の上側の壁４ａの外側に配置されている。これにより、蓄電装置への磁石８０の脱着を容易化することができる。
【実施例３】
【００４５】
実施例３蓄電装置２も、実施例１に対して磁石８０が配置される位置が異なる（図５）。実施例３では、磁石８０はケース４の上側の壁４ａの内側で、かつ、絶縁シート３４ｂの内側（図５下側）に配置されている。これにより、磁石８０と隔壁３８との間の磁力が絶縁シート３４ｂによって妨げられることを抑制することができる。
【００４６】
実施例１〜実施例３と請求項との対応関係を説明する。本実施例における導電部材１４は請求項における「導電部材」の一例であり、移動側導電部１７は請求項における「第１の導電部」の一例であり、固定側導電部１６は請求項における「第２の導電部」の一例である。
【実施例４】
【００４７】
実施例４の蓄電装置２は、実施例１の蓄電装置２の電流遮断装置４０を、電流遮断装置３４０に変更したものである（図６、図７）。第２リード１０ｂの図６右側の端部は、実施例１の電流遮断装置４０と同様に、負極タブ５５ｂ（図１参照）に接続されている。また、第３リード２２の図６左側の端部は、図示しない位置で負極端子１２ｂに接続されている。負極タブ５５ｂ、第２リード１０ｂ、電流遮断装置３４０、第３リード２２、負極端子１２ｂ（図１参照）、の順に接続されることで、負極と負極端子１２ｂとを接続する通電経路が形成されている。ケース４内の圧力が上昇した場合には、電流遮断装置３４０は、この通電経路を遮断する（後に詳しく説明する）。
【００４８】
以下に、電流遮断装置３４０について詳しく説明する。電流遮断装置３４０は、図６に示すように、隔壁５３８を有している。隔壁５３８は、図６の上方向から見て円形の導電性のダイアフラムである。また、隔壁５３８は、磁性を有する材料によって形成されている。隔壁５３８を形成する材料としては、例えば鉄が使用できる。
【００４９】
隔壁５３８は、隔壁５３８の外周部に位置する外周縁部５７２と、外周縁部５７２の内側に位置する隔壁変位部５７３とを有する。隔壁変位部５７３については後に詳しく説明する。隔壁５３８の外周縁部５７２は、第２リード１０ｂと支持部材３６とで挟持されている。隔壁５３８の外周縁部５７２と第２リード１０ｂとは接触しており、両者は電気的に接続されている。隔壁５３８の下側では、第３リード２２が支持部材３６に支持されている。隔壁５３８の辺縁部と第３リード２２との間は、支持部材３６によって絶縁されている。隔壁５３８は、下側の面にケース４内の空間４１の圧力を受けている。上側の面には、ケース４内の空間とは隔離された空間である空間４２の圧力を受けている。
【００５０】
第１実施例と同様に、ケース４の上側の壁４ａの内側には磁石８０が配置されている（図６、図７）。具体的には、磁石８０は、ケース４の上側の壁４ａと上述の絶縁シート３４ｂとの間に配置されている。
【００５１】
隔壁５３８は、空間４１の圧力に応じて、図６に示す状態（下側に膨出した状態）と、図７に示す状態（上側に膨出した状態）との間で変形することができる。すなわち、ケース４内の圧力が電流遮断圧力値未満の場合は、隔壁５３８は下側に膨出した状態となる（図６）。この状態では、隔壁５３８の下側に膨出している部分（すなわち、隔壁変位部５７３）と、第３リード２２とが接触し、両者は電気的に接続している。第３リード２２と隔壁５３８とが電気的に接続することで、負極と負極端子１２ｂとの間の通電経路に電流が流れる状態となる。
【００５２】
ケース４内の圧力が上昇して電流遮断圧力値以上となると、隔壁５３８は上側に膨出した状態となる（図７）。この場合は、隔壁５３８（具体的には、隔壁５３８の隔壁変位部５７３）と第３リード２２とが離間し、隔壁５３８と第３リード２２とが電気的に絶縁される。隔壁５３８と第３リード２２とが絶縁されることで、負極と負極端子１２ｂとの間の通電経路に電流が流れない状態となる。
【００５３】
本実施例の蓄電装置２では、上述のように、ケース４内の圧力が電流遮断圧力値以上となると、隔壁変位部５７３が上側に移動する。このため、隔壁５３８と磁石８０との距離が小さくなる。その結果、磁石８０が隔壁５３８を吸引する吸引力が強くなる。このため、変形した隔壁５３８が元に戻ることが妨げられる。これにより、電流遮断装置３４０によって蓄電装置２の通電が遮断された後で、蓄電装置２が再通電することを抑制することができる。
【００５４】
実施例４と請求項との対応関係を説明する。本実施例における、隔壁５３８及び第３リード２２は、請求項における「導電部材」の一例であり、隔壁５３８は請求項における「第１の導電部」の一例であり、第３リード２２は請求項における「第２の導電部」の一例である。
【００５５】
（他の形態１）
以下に、本明細書で開示する他の形態の蓄電装置２を説明する。第１の形態の蓄電装置２は、実施例１の蓄電装置２の電流遮断装置４０を電流遮断装置２０２に変更したものである（図８、図９）。電流遮断装置２０２は、実施例１の電流遮断装置４０と同様に、ケース４の上側の壁４ａの内面に配置されている。本形態の蓄電装置２でも、実施例１と同様に、負極タブ５５ｂ（図１参照）、電流遮断装置２０２、負極端子１２ｂ（図１参照）、の順に接続されることで、負極と負極端子１２ｂとを接続する通電経路が形成されている。ケース４内の圧力が上昇した場合には、電流遮断装置２０２は、この通電経路を遮断する（後に詳しく説明する）。
【００５６】
電流遮断装置２０２は、変形板６０３、通電板６０４、接点板６０５、蓋体６４０、絶縁性の支持部材６１１、及び、カシメ部材６２０を備えている。変形板６０３、通電板６０４、接点板６０５、及び蓋体６４０は、蓄電装置２の図８の下側（ケース４の内側）から、図８の上側（ケース４の外側）に向けて順に配置されている。
【００５７】
変形板６０３は、薄板のダイアフラムである。変形板６０３は、磁性体によって形成されている。変形板６０３を形成する材料としては、例えば鉄が使用できる。変形板６０３の外周部は、後述する絶縁性の支持部材６１１で固定されている。変形板６０３の外周部と、通電板６０４の外周部との間には、絶縁性のシール部材６１４が配置されている。これにより、変形板６０３の外周部と通電板６０４の外周部との間が電気的に絶縁されている。変形板６０３の中央部は受圧部６２２となっている。受圧部６２２の図８下側の面は、ケース４内の圧力を受けている。ケース４内の内圧が所定レベルを超えて上昇すると、変形板６０３が変形する（後に詳しく説明する）。変形板６０３の中央部の上面には、接点板６０５の側に向けて突出する突起６１２が設けられている。突起６１２は、例えば、筒形状とすることができる。突起６１２は、絶縁体であってもよい。突起６１２の上側の面は、当接部６２４となっている。変形板６０３は、図８に示すように、ケース４内の圧力が電流遮断圧力値未満の状態では、ケース４の内側（図８下側）に膨出した状態となっている。
【００５８】
通電板６０４は、変形板６０３の上側に配置されている。図８に示すように、通電板６０４の中央部は、通電板６０４の外周部よりも上下方向の肉厚が薄くされている。通電板６０４の中央部の下面には、破断溝６１６が形成されている。破断溝６１６は、平面視で円環状に形成されている。破断溝６１６の断面形状は三角形である。但し、破断溝６１６の断面形状は他の形状（例えば半円等）であってもよい。また、破断溝６１６は、連続に形成されている。但し、破断溝６１６は、不連続に形成されていてもよい。破断溝６１６の直径は、平面視において当接部６２４の外周の直径よりわずかに大きい。通電板６０４は、破断溝６１６の内側に位置する移動側導電部１１７と、破断溝６１６の外側に位置する固定側導電部１１６とを有する。通電板６０４の外周部の一部（図８右側の端部）には、接続部材６１３が設けられている。接続部材６１３は、図示しない位置で電極組立体６と電気的に接続されている（後に詳しく説明する）。
【００５９】
接点板６０５は、通電板６０４の上側に配置されている。接点板６０５は、いわゆるダイアフラムである。接点板６０５は、具体的には平板形状の薄板である。接点板６０５は、導電性を有する材料によって形成されている。接点板６０５を形成する材料としては、例えば金属（具体的には、例えばアルミニウム）が使用できる。
【００６０】
接点板６０５の外周部は、後述する絶縁性の支持部材６１１によって固定されている。接点板６０５の中央部６２３の下面と、上述の通電板６０４の上面とは接触している。詳しくは、接点板６０５の中央部６２３の下面と、移動側導電部１１７の上面とは接触している。また、接点板６０５の中央部６２３の下面と、固定側導電部１１６の上面（詳しくは破断溝６１６の周囲に位置する部分）とも接触している。なお、接点板６０５の中央部６２３の下面と、通電板６０４の上面とは、溶着等により固着していてもよい。接点板６０５の外周部と通電板６０４の外周部との間には、絶縁性のシール部材６１７が設けられている。接点板６０５の外周部と通電板６０４の外周部とは互いに電気的に絶縁されている。
【００６１】
蓋体６４０は、接点板６０５の上側に配置されている。また、蓋体６４０は、絶縁シート３４ｂの下側に配置されている。蓋体６４０は、本体部６４１と、本体部６４１の図８左側の端部に設けられた接続部材６４２とを有している。蓋体６４０の外周部（詳しくは、蓋体６４０の本体部６４１の外周部）は、絶縁性の支持部材６１１によって固定されている。本体部６４１の外周部の下面と、上述の接点板６０５の外周部の上面とは、互いに接触することにより電気的に接続されている。本体部６４１の下面には、上方に窪んだ凹部６１８が形成されている。これにより、ケース４内の圧力が上昇して接点板６０５が上方に変形した際に、接点板６０５と蓋体６４０との干渉が防止される。接続部材６４２は、図示しない位置で、負極端子１２ｂと電気的に接続されている（後に詳しく説明する）。
【００６２】
変形板６０３、通電板６０４、接点板６０５、蓋体６４０のそれぞれの外周部の外側には、絶縁性の支持部材６１１が配置されている。支持部材６１１は、例えば、樹脂モールドで成形されている。支持部材６１１は、リング状に形成されている。支持部材６１１の内面は、断面形状において、支持部材６１１の内側に向けて開口した略Ｕ字形状となっている。変形板６０３の外周部、シール部材６１４、通電板６０４の外周部、シール部材６１７、接点板６０５の外周部、及び蓋体６４０の外周部は、支持部材６１１の略Ｕ字形状となっている内面に覆われている。これにより、変形板６０３、シール部材６１４、通電板６０４、シール部材６１７、接点板６０５、及び蓋体６４０が、互いに積層された状態で一体的に保持されている。これらの構成が互いに積層された状態で一体的に保持されていることにより、ケース４内の空間と、電流遮断装置６０２内の空間との間のガスの流通が防止されている。支持部材６１１の外周面、及び上下の面を覆うように、金属製のカシメ部材６２０が配置されている。カシメ部材６２０は、支持部材６１１を上下に挟んだ状態で保持している。これにより、ケース４内の空間と、電流遮断装置６０２内の空間との間のガスの流通がさらに確実に防止されている。なお、電流遮断装置６０２の上端部と、ケース４の上側の壁４ａの内面との間には、絶縁シート３４ｂが配置されている。
【００６３】
本形態の電流遮断装置２０２における通電経路について説明する。電極組立体６、通電板６０４の接続部材６１３、通電板６０４の中央部、接点板６０５の中央部６２３、接点板６０５の外周部、蓋体６４０の外周部、蓋体６４０の接続部材６４２、負極端子１２ｂが順に電気的に接続されて直列な通電経路が形成されている。
【００６４】
図８、図９に示すように、ケース４の上側の壁４ａの内側には、磁石８０が配置されている。磁石８０は、変形板６０３の図８上方に配置されている。図８の上から見た時、磁石８０は、磁石８０の中心と変形板６０３の中心とが一致する位置に配置されている。換言すると、磁石８０は、変形板６０３を上向きに投影したときに変形板６０３と磁石８０とが重なる位置に配置されている。また、磁石８０は、ケース４の上側の壁４ａと上述の絶縁シート３４ｂとの間に配置されている。
【００６５】
ケース４内の圧力が上昇し電流遮断圧力値以上となると、変形板６０３が変形し図９の状態となる。このため、変形板６０３の受圧部６２２が上側（ケース４の外側）に向けて移動する。その結果、突起６１２の当接部６２４が、通電板６０４の下面（詳しくは、通電板６０４の移動側導電部１１７の下面）に衝突する。当接部６２４が通電板６０４の下面に衝突すると、通電板６０４が、破断溝６１６の部分で破断される。破断溝６１６が破断することにより、通電板６０４の固定側導電部１１６と移動側導電部１１７とが分離し、移動側導電部１１７は上側に移動する。上述のように、移動側導電部１１７は接点板６０５の中央部６２３に接触している。このため、接点板６０５が変形する。これにより、接点板６０５の中央部６２３が上側に移動する。接点板６０５の中央部６２３が上側に移動することにより、上述の接点板６０５の中央部６２３と、固定側導電部１１６の上面（破断溝６１６の周囲に位置する部分）との接触部が分離する。その結果、負極端子１２ｂと電極組立体６との間の通電経路が遮断され、負極端子１２ｂと電極組立体６との間に電流が流れない状態となる。
【００６６】
本形態の蓄電装置２では、上述のように、ケース４内の圧力が電流遮断圧力値以上となると、変形板６０３が変形する。このため、変形板６０３の受圧部６２２が上側に移動する。すなわち、変形板６０３の受圧部６２２と、磁石８０との距離が小さくなる。このため、磁石８０が変形板６０３の受圧部６２２を吸引する吸引力が大きくなる。その結果、受圧部６２２が上側に移動した状態が元の状態に戻ることが妨げられる。これにより、電流遮断装置２０２によって蓄電装置２の通電が遮断された後で、蓄電装置２が再通電することを抑制することができる。
【００６７】
本形態の蓄電装置２では、変形板６０３により、通電板６０４と接点板６０５との接触部が電解液雰囲気中と遮断されている。これにより、電解液や周囲環境によって接触部が劣化することを抑制することができる。また、通電経路が破断してアーク（火花）が発生した場合にも、水素ガスが発生しているケース４内への影響を抑制することができる。
【００６８】
また、本形態の蓄電装置２では、変形板６０３に設けられた突起６１２の衝撃力が破断溝６１６の破断荷重のバラツキを補うため電流遮断圧力が安定する。
【００６９】
（他の形態２）
第２の形態の蓄電装置２は、第１の形態の蓄電装置２の電流遮断装置２０２を、電流遮断装置３０２に変更したものである。電流遮断装置３０２の形状は、電流遮断装置２０２（図８、図９参照）と同様であるので図示を省略する。第１の形態の電流遮断装置２０２では、変形板６０３が磁性体によって形成されていた。これに対して第２の形態の電流遮断装置３０２では、接点板６０５が磁性体によって形成されている。
【００７０】
第２の形態の電流遮断装置３０２では、第１の形態と同様に、ケース４内の圧力が電流遮断圧力値以上となると、負極と負極端子１２ｂとの間の通電経路が遮断される。この際、第１の形態と同様に、接点板６０５の中央部６２３が上側に移動する。このため、接点板６０５と磁石８０との距離が小さくなる。その結果、磁石８０が接点板６０５を吸引する吸引力が大きくなる。その結果、変形した接点板６０５が元に戻ることが妨げられる。これにより、電流遮断装置３０２によって蓄電装置２の通電が遮断された後で、蓄電装置２が再通電することを抑制することができる。
【００７１】
第１の形態及び第２の形態と、請求項との対応関係を説明する。本実施例における、通電板６０４、及び接点板６０５は、請求項における「導電部材」の一例であり、通電板６０４の移動側導電部１１７、及び接点板６０５は、請求項における「第１の導電部」の一例であり、通電板６０４の固定側導電部１１６は請求項における「第２の導電部」の一例である。
【００７２】
（他の形態３）
第３の形態の蓄電装置２は、第１の形態の蓄電装置２の電流遮断装置２０２を、電流遮断装置４０２に変更したものである（図１０、図１１）。電流遮断装置２０２は、通電板６０４を備えていた。これに対して、電流遮断装置４０２は、通電板６３３を備えている。通電板６３３の中央部６３１には、貫通孔６３４が形成されている。第３の形態の蓄電装置２は、第１の形態と同様に、接点板６０５を備えている。接点板６０５は、通電板６０４の上側に配置されている。通電板６３３の中央部６３１（詳しくは、貫通孔６３４の周囲の部分）と、接点板６０５の中央部６２３とは互いに接触して電気的に接続されている。第３の形態の蓄電装置２は、第１の形態と同様に、変形板６０３を備えている。変形板６０３は、磁性体によって形成されている。変形板６０３を形成する材料としては、例えば鉄が使用できる。
【００７３】
変形板６０３の中央部の上側（すなわち、受圧部６２２の上側）には突起６１２が設けられている。ケース４内の圧力が電流遮断圧力値以上となると、変形板６０３が変形することにより変形板６０３の受圧部６２２が上側に移動する。受圧部６２２が上側に移動することにより、突起６１２が貫通孔６３４を貫通するとともに、突起６１２の当接部６２４が接点板６０５と衝突する。このため、接点板６０５が変形する。これにより、接点板６０５の中央部６２３が上側に移動する。その結果、接点板６０５の中央部６２３と、通電板６３３の中央部６３１とが分離する。これにより、負極端子１２ｂと電極組立体６との間に電流が流れない状態となる。
【００７４】
第３の形態の蓄電装置２でも、第１の形態と同様に、ケース４内の圧力が電流遮断圧力値以上となると、変形板６０３の受圧部６２２が上側に移動する。その結果、磁石８０が変形板６０３を吸引する吸引力が大きくなる。このため、変形した変形板６０３が元に戻ることが妨げられる。これにより、電流遮断装置４０２によって蓄電装置２の通電が遮断された後で、蓄電装置２が再通電することを抑制することができる。
【００７５】
なお、第３の形態の電流遮断装置４０２では、変形板６０３は、磁性体によって形成されていた。しかし、第２の形態の電流遮断装置３０２と同様に、接点板６０５が磁性体によって形成されていてもよい。
【００７６】
第３の形態と請求項との対応関係を説明する。本実施例における、通電板６３３、及び接点板６０５は、請求項における「導電部材」の一例であり、接点板６０５は、請求項における「第１の導電部」の一例であり、通電板６３３は請求項における「第２の導電部」の一例である。
【００７７】
第１〜第３の形態では、突起６１２が貫通孔６３４を貫通している状態では、変形板６０３と通電板６３３とが絶縁されている。ここで、変形板６０３と通電板６３３とを絶縁する方法は、変形板６０３自体、もしくは変形板６０３における突起６１２を絶縁性の材料によって形成することであってもよい。また、貫通孔６３４の内周部分を絶縁コーティングすることであってもよい。あるいは、突起６１２が貫通孔６３４を貫通している状態において、突起６１２と通電板６３３とが接触せず、かつ、変形板６０３と通電板６３３が接触しないように、蓄電装置２を構成することであってもよい。
【００７８】
上記の実施例及び他の形態では、電流遮断装置は、負極と負極端子１２ｂとを接続する通電経路に配置されていた。しかし、電流遮断装置は、正極と正極端子１２ａとを接続する通電経路に配置されていてもよい。
【００７９】
実施例１〜３の隔壁３８、実施例４の隔壁５３８、他の第１〜第３の形態の接点板６０５及び変形板６０３は磁性体により形成されていた。しかし、これらの構成は、これらの構成の少なくとも一部が磁性体により形成されていればよい。磁性体により形成される部分は、ケース４内の圧力が上昇して、これらの構成が変形した際に変位する部分の少なくとも一部であればよい。これらの構成は、磁性体（例えば鉄）と他の材料（例えばアルミニウム）との合金によって形成されていてもよい。また、これらの構成は、磁性体でない材料（例えばアルミニウム）によって形成された本体に、磁性体を接合することにより形成されていてもよい。本体に接合される磁性体は、実施例１、他の第１の形態、他の第２の形態の移動側導電部１７、１１７を兼ねていてもよい。本体に接合される磁性体は、他の第１〜第３の形態の突起６１２を兼ねていてもよい。
【００８０】
実施例１〜３の隔壁３８、実施例４の隔壁５３８、他の第１〜第３の形態の接点板６０５及び変形板６０３を形成する磁性体は、上記の実施例及び他の形態に示した鉄（Ｆｅ）に限られない。すなわち、磁性体は、コバルト（Ｃｏ）、ニッケル（Ｎｉ）、さらに、これらの合金であるパーマロイ(Ｆｅ−Ｎｉ)、ＦｅＣｏ合金、若しくは、ステンレス(組成がＦｅ−Ｃｒ−Ｃのもの)、ホイスラー合金（Ｃｕ2ＭｎＡｌ）であってもよい。また、磁性体は、金属間化合物のサマリウムコバルト磁石（ＳｍＣｏ5）、無機化合物のネオジム磁石（Ｎｄ2Ｆｅ14Ｂ）、酸化物のマグネタイト（Ｆｅ3Ｏ4）、マグへマタイト(γ−Ｆｅ2Ｏ3）であってもよい。
【００８１】
上記の実施例及び他の形態では、磁石８０はフェライト磁石であった。しかしながら、磁石８０は、他の永久磁石（例えばネオジム磁石等）であってもよい。また、磁石８０は電磁石であってもよい。これにより、磁石８０の磁力の調整を容易化することができる。磁石８０を電磁石とした場合、蓄電装置２は、電極組立体６からの電力を電磁石に供給する電気配線を備えていてもよい。
【００８２】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時の請求項に記載の組合せに限定されるものではない。また、本明細書または図面に例示した技術は複数の目的を同時に達成し得るものであり、そのうちの一つの目的を達成すること自体で技術的有用性を持つものである。
【符号の説明】
【００８３】
２     蓄電装置
４     ケース
４ａ   ケースの上側の壁
６     電極組立体
１０ａ 第１リード
１０ｂ 第２リード
１４   導電部材
１６   固定側導電部
１７   移動側導電部
２０   脆弱部
２２   第３リード
３４ｂ 絶縁シート
３８、５３８  隔壁
４０、２０２、３０２、３４０、４０２      電流遮断装置
７２、５７２  外周縁部
７３、５７３  隔壁変位部
８０   磁石
【図１】
2014157792.tif 000003
【図２】
2014157792.tif 000004
【図３】
2014157792.tif 000005
【図４】
2014157792.tif 000006
【図５】
2014157792.tif 000007
【図６】
2014157792.tif 000008
【図７】
2014157792.tif 000009
【図８】
2014157792.tif 000010
【図９】
2014157792.tif 000011
【図１０】
2014157792.tif 000012
【図１１】
2014157792.tif 000013